(57)【要約】  本発明は、スマートテレビの画面とは反対側の面の上端に設置された、スマートテレビの外付装置用コネクタであって、コネクタの上端に設けられ、外部データを収集するために使用される外付装置を中に挿し込むことができるデータ入力インタフェースと、コネクタの、スマートテレビを向いた側面に設けられ、データ入力インタフェースに接続されてデータ線を介しスマートテレビのメイン基板に接続されるデータ出力インタフェースと、それぞれコネクタの表面に設けられ、データ出力インタフェースに接続されて音声データを収集する複数のマイクを含むマイク群と、を備え、データ出力インタフェースは、外付装置によって収集された外部データとマイク群によって収集された音声データとをデータ線を介してスマートテレビのメイン基板に伝送する、スマートテレビの外付装置用コネクタを提供する。本発明は、従来のスマートテレビの外付装置の接続方式が抱えている、ユーザからの信号の収集効果が低いうえに接続線が多くてユーザエクスペリエンスも悪いという技術的課題を解決する。【選択図】図２
2018518067.tif 000002
【特許請求の範囲】
【請求項１】
スマートテレビの画面とは反対側の面の上端に設置されたスマートテレビの外付装置用コネクタであって、
前記コネクタの上端に設けられ、外部データを収集するために使用される前記外付装置を中に挿し込むことができるデータ入力インタフェースと、
前記コネクタの、前記スマートテレビを向いた側面に設けられ、前記データ入力インタフェースに接続され、データ線を介し前記スマートテレビのメイン基板に接続されるデータ出力インタフェースと、
それぞれ前記コネクタの表面に設けられ、前記データ出力インタフェースに接続されて音声データを収集する複数のマイクを含むマイク群と、を備え、
前記データ出力インタフェースは、前記外付装置によって収集された前記外部データと前記マイク群によって収集された前記音声データとを前記データ線を介して前記スマートテレビの前記メイン基板に伝送する
ことを特徴とする、スマートテレビの外付装置用コネクタ。
【請求項２】
前記複数のマイクの各々には、予め設定された音声情報をフィルタリングしたり低減したりするフィルタリング・ノイズ低減モジュールが設けられる
ことを特徴とする、請求項１に記載のスマートテレビの外付装置用コネクタ。
【請求項３】
前記予め設定された音声情報は、非人声情報を含む
ことを特徴とする、請求項２に記載のスマートテレビの外付装置用コネクタ。
【請求項４】
前記複数のマイクの各々は、前記コネクタの上面と、前記コネクタの、前記スマートテレビの裏面から離れた側面と、に設置される
ことを特徴とする、請求項１または請求項２に記載のスマートテレビの外付装置用コネクタ。
【請求項５】
前記コネクタの上面と前記コネクタの、前記スマートテレビの裏面から離れた側面とに設けられた前記複数のマイクは、位置が相互に対応しており、互いに連通してマイク貫通孔を形成する
ことを特徴とする請求項４に記載のスマートテレビの外付装置用コネクタ。
【請求項６】
前記コネクタは、前記コネクタの、前記スマートテレビの裏面から離れた側面に設けられる複数のねじを通して、前記スマートテレビの裏面に固定される
ことを特徴とする、請求項１に記載のスマートテレビの外付装置用コネクタ。
【請求項７】
前記コネクタは、前記コネクタの、前記スマートテレビの裏面から離れた側面が接着される
ことを特徴とする請求項１に記載のスマートテレビの外付装置用コネクタ。
【請求項８】
前記コネクタの上面と前記スマートテレビの上面とは、互いに高さが揃えられる
ことを特徴とする、請求項１、６、７のいずれか一項に記載のスマートテレビの外付装置用コネクタ。
【請求項９】
前記データ入力インタフェースは、ＵＳＢインタフェースまたはマイクロＵＳＢインタフェースを備える
ことを特徴とする、請求項１に記載のスマートテレビの外付装置用コネクタ。
【請求項１０】
前記外付装置は、画像収集装置を備える
ことを特徴とする、請求項１に記載のスマートテレビの外付装置用コネクタ。
【発明の詳細な説明】
【技術分野】
【０００１】
本願は、「スマートテレビの外付装置用コネクタ」という発明の名称で２０１６年３月３０日に出願された中国特許出願番号第２０１６２０２５７６１２．３号に基づき、その優先権を主張するとともに、その全ての内容が援用により組み込まれたものである。
【０００２】
本発明は、スマートテレビの付属品の分野、特に、スマートテレビの外付装置用コネクタに関する。
【背景技術】
【０００３】
現在、デジタル放送技術の向上およびテレビのソフトウェア・ハードウェアの急速な進歩に伴ない、テレビはすでにスマート化しつつある。こうしたテレビは、テレビ番組を見るだけでなく、娯楽およびマンマシンインタラクションにも使用される。
【０００４】
スマートテレビのマンマシンインタラクションとは、スマートテレビがデータ収集装置によってユーザからの信号を収集し、収集された信号を予め設定されたプログラムで処理した後、スマートテレビがそれに対応した、番組切替、音量調整、および情報交換などの応答を行なうことをいう。また、ユーザからの信号は、主にユーザの音声信号および画像信号、例えば、マイクで収集されたユーザの音声信号、カメラで収集されたユーザの画像信号などを指し、この場合、マイクは、スマートテレビの隣または上部に設置されデータ線を介してスマートテレビのメイン基板に接続され、カメラは、スマートテレビの隣または上部に設置されデータ線を介してスマートテレビのメイン基板に接続されることによって、ユーザからの信号を収集するという目的を達成する。
【０００５】
しかし、スマートテレビのソフトウェア・ハードウェア技術の進歩に伴い、スマートテレビの画面がより軽くより薄くなってきて、スマートテレビの上面にはカメラやマイクを設置する空間がなくなっているが、カメラやマイクをスマートテレビの隣に設置すると、ユーザからの信号の収集効果に影響を与える。このため、スマートテレビの外付装置とスマートテレビの既存の接続方式は、昨今のスマートテレビのソフトウェア・ハードウェア技術の進歩に適さなくなっている。また、従来のスマートテレビには、それ自体のデータ接続線を除いてもカメラやマイクなどの外付装置のデータ接続線を含めてあまりにも多くのデータ接続線が接続されているので、ユーザエクスペリエンスが悪い。
【０００６】
言い換えれば、従来のスマートテレビの外付装置の接続方式は、ユーザからの信号の収集効果が低いうえに、接続線が多くてユーザエクスペリエンスも悪いという技術的課題を抱えている。 
【発明の概要】
【０００７】
本発明の実施例によれば、従来のスマートテレビの外付装置の接続方式が抱える、ユーザからの信号の収集効果が低いうえに接続線が多くてユーザエクスペリエンスも悪いという技術的課題を解決することができる、スマートテレビの外付装置用コネクタが提供される。
【０００８】
上記の技術的課題を解決するために、本発明の実施例は、スマートテレビの画面とは反対側の面の上端に設置された、スマートテレビの外付装置用コネクタであって、
前記コネクタの上端に設けられ、外部データを収集するために使用される前記外付装置を中に挿し込むことができるデータ入力インタフェースと、
前記コネクタの、前記スマートテレビを向いた側面に設けられ、前記データ入力インタフェースに接続され、データ線を介し前記スマートテレビのメイン基板に接続されるデータ出力インタフェースと、
それぞれ前記コネクタの表面に設けられ、前記データ出力インタフェースに接続されて音声データを収集する複数のマイクを含むマイク群と、を備え、
前記データ出力インタフェースは、前記外付装置によって収集された前記外部データと前記マイク群によって収集された前記音声データとを前記データ線を介して前記スマートテレビの前記メイン基板に伝送する、スマートテレビの外付装置用コネクタを提供する。
【０００９】
また、前記複数のマイクの各々には、予め設定された音声情報をフィルタリングしたり低減したりするフィルタリング・ノイズ低減モジュールが設けられる。
【００１０】
また、前記予め設定された音声情報は、非人声情報を含む。
【００１１】
また、前記複数のマイクの各々は、前記コネクタの上面と、前記コネクタの、前記スマートテレビの裏面から離れた側面と、に設置される。
【００１２】
また、前記コネクタの上面と前記コネクタの、前記スマートテレビの裏面から離れた側面とに設けられた前記マイクは、位置が相互に対応しており、互いに連通してマイク貫通孔を形成する。
【００１３】
また、前記コネクタは、前記コネクタの、前記スマートテレビの裏面から離れた側面に設けられる複数のねじを通して、前記スマートテレビの裏面に固定される。
【００１４】
また、前記コネクタは、前記コネクタの、前記スマートテレビの裏面から離れた側面が接着される。
【００１５】
また、前記コネクタの上面と前記スマートテレビの上面とは、互いに高さが揃えられる。
【００１６】
また、前記データ入力インタフェースは、ＵＳＢインタフェースまたはマイクロＵＳＢインタフェースを備える。
【００１７】
また、前記外付装置は、画像収集装置を備える。
【００１８】
本発明の実施例に係るスマートテレビの外付装置用コネクタは、スマートテレビの画面とは反対側の面の上端に設置され、外付装置を中に挿し込むことができるデータ入力インタフェースと、外部データを収集したり音声データを収集したりするために使用するマイク群と、前記外部データおよび前記音声データを前記スマートテレビのメイン基板に伝送するデータ出力インタフェースとを備えることによって、従来の前記スマートテレビの前記外付装置の接続方式が抱えている、ユーザからの信号の収集効果が低いうえに接続線が多くてユーザエクスペリエンスも悪いという技術的課題を解決するので、前記コネクタは、スマートテレビが昨今はより軽くより薄くなるというトレンドにより適しており、ユーザエクスペリエンスを高めることができる。
【図面の簡単な説明】
【００１９】
本発明の具体的な実施形態または従来技術における技術的解決手段をより明確に説明するために、以下、具体的な実施形態または従来技術の説明に必要な図面を簡単に説明する。明らかに、以下の説明における図面は、本発明のいくつかの実施例に関するものに過ぎないが、当業者であれば、創造的な作業をしなくても、これらの図面に基づき他の図面を得ることができる。
【００２０】
【図１】本発明の実施形態に係るスマートテレビの外付装置用コネクタの構成ブロック図である。
【図２】本発明の実施形態に係るスマートテレビの外付装置用コネクタの立体構造概略図である。
【図３】本発明の実施形態に係るスマートテレビの外付装置用コネクタを使用している状態の背面図である。
【図４】本発明の実施形態に係るスマートテレビの外付装置用コネクタを使用している状態の上面図である。
【発明を実施するための形態】
【００２１】
以下、本発明の実施形態の図面を参照しながら、本発明の技術的解決手段を明確かつ完全に説明することにする。明らかに、以下に説明する実施形態は、本発明の実施形態の一部に過ぎず、全てを尽くすものではない。当業者が本発明の実施形態に基づいて創造的な作業を行なわずに得ることができる全ての他の実施形態は、いずれも本発明の保護範囲に属する。
【００２２】
本発明の説明において、「中心」、「上」、「下」、「左」、「右」、「鉛直」、「水平」、「内」、「外」などの用語は、、図面の記載に基づく向きや位置関係であり、本発明の説明をしやすく簡単にするためのものに過ぎず、装置や構成要素が特定の向きや特定の構成・動作を有する必要があることを示したり示唆したりするものではないことに留意する必要がある。したがって、これらの用語は、本発明を限定するものとして解釈されるべきではない。また、「第１」、「第２」、「第３」という用語は、説明を目的としたものに過ぎず、相対的重要性を示したり示唆したりするものとして解釈されるべきではない。
【００２３】
本発明の説明において、別に明示的に指定されたり限定されたりしない限り、「取り付ける」、「連結する」、「接続する」という用語は広義的に解釈すべきであり、例えば、固定された接続であっても取り外し可能な接続であっても一体化された接続であってもよいし、機械的な接続であっても電気的な接続であってもよいし、直接的な接続であっても中間媒体を介した間接的な接続であっても二つの装置の内部的な通信であってもよいし、無線接続であっても有線接続であってもよい。当業者であれば、本発明における上記用語の具体的な意味は、具体的な状況に応じて理解することができる。
【００２４】
スマートテレビの外付装置の従来の接続方式に存在している、ユーザからの信号の収集効果が低いうえに接続線が多くてユーザエクスペリエンスも悪いという技術的課題を解決するために、図１を参照されたい。図１は、本発明の実施形態に係るスマートテレビの外付装置用コネクタの構成ブロック図であり、データ入力インタフェース１０と、データ出力インタフェース２０と、マイク群３０と、を備える。
【００２５】
図２〜４は、それぞれ、本発明の実施形態に係るスマートテレビの外付装置用コネクタの立体構造概略図、本発明の実施形態に係るスマートテレビの外付装置用コネクタを使用している状態の背面図および上面図であり、該コネクタは、スマートテレビ２の画面とは反対側の面の上端に設置されたコネクタ本体１を備える。具体的には、データ入力インタフェース１０が、コネクタ本体１の上端に設けられて中に外部データを収集する外付装置を挿入することができ、データ出力インタフェース２０が、コネクタ本体１の、スマートテレビ２を向いた側面に設けられてデータ入力インタフェース１０に接続されるとともにデータ線を介してスマートテレビ２のメイン基板に接続され、マイク群３０が、複数のマイク（例えば、図示したマイク３１０、マイク３２０、マイク３３０、マイク３４０など）から成っていて、各々のマイクは、コネクタ本体１の表面に設けられてデータ出力インタフェース２０に接続され、音声データを収集するために使用される。そして、データ出力インタフェース２０は、外付装置から収集された外部データおよびマイク群３０から収集された音声データをデータ線を介してスマートテレビ２のメイン基板に伝送する。
【００２６】
本明細書では、外付装置は、画像や映像を収集できるカメラおよび他の機器から成る画像収集装置を備える。本明細書では、ＵＳＢインタフェースのカメラを例として説明しており、該カメラのＵＳＢインタフェースは、データ入力インタフェース１０に挿入されて該コネクタの上端に配置される。具体的には、コネクタ本体１の上部とスマートテレビ２の上部とは互いに面の高さが揃った状態になるので、一方では、コネクタ本体１はスマートテレビ２の後ろに完全に隠すことができるのでスマートテレビ２の見栄えを向上させることができ、他方では、カメラはコネクタ本体１およびスマートテレビ２の外側に完全に露出させることができるので、もっと高い撮影位置に据えて良好な撮影角度を確保することによって、ユーザが外部データを容易にうまく収集できるようにすることができる。本明細書では、外部データは、主にユーザの画像および映像データを指し、該外部データは、収集された後に、カメラが接続されているデータ出力インタフェース２０に伝送され、データ出力インタフェース２０に接続されたデータ線を介してスマートテレビ２のメイン基板に伝送され、そして、予め設定されたプログラムが該外部データを使用して対応する処理を行なった後、スマートテレビ２は、例えば、ユーザの顔情報を収集することによってロック状態を解除して起動したり、顔認識によって支払いを行なうなどしたり、また、ユーザのジェスチャーを収集して番組切替や音量調整などを行なったりするなど、対応する応答を行なう。
【００２７】
ここで、データ入力インタフェース１０は、ＵＳＢインタフェースを備えるか、あるいは、マイクロＵＳＢインタフェースを備える。データ入力インタフェース１０は、主に外付装置の出力インタフェースの特定の形状に合致するが、この特定の形状は特に限定されるものではないことに注意すべきである。上述したＵＳＢインタフェースおよびマイクロＵＳＢインタフェースは、本願の例示的なものに過ぎず、本願の保護範囲を限定するものではない。また、全てのインタフェースは、そのタイプが外付装置に合致しさえすればいずれも本願の解決手段に適用できると理解すべきであるが、実際の応用例においては、自由に組み合わせて使用することができる。
【００２８】
ユーザがスマートテレビ２とマンマシンインタラクションを行なう場合に、画像および映像信号を別にすれば、ユーザの音声信号も収集する必要がある。ユーザの音声信号を収集するにはマイク群３０が使用され、具体的に言えば、マイク群３０は、マイク３１０、マイク３２０、マイク３３０、マイク３４０などから成り、本明細書では、マイクの数はあまり限定せず、実際の状況に応じて設定することができるものとし、例えば、マイクの数は、用いられるスマートテレビ２のサイズおよびスマートテレビ２の使用環境（空間や環境ノイズの大きさなど）に応じて設定することができ、用いられるスマートテレビ２のサイズが大きいほど必要なマイクの数も多くなり、スマートテレビ２がより広い空間内またはノイズの大きい環境で用いれば、必要なマイクロホンの数も多くなる。各マイク（図示したマイク３１０、マイク３２０、マイク３３０、マイク３４０）は、コネクタ本体１の表面に設けられてデータ出力インタフェース２０に接続され、収集されたユーザの音声データをデータ出力インタフェース２０に接続されたデータ線を介してスマートテレビ２のメイン基板に伝送する。予め設定されたプログラムが該音声データを使用して対応する処理を行なった後、スマートテレビ２は、例えば、音声情報によってロック状態を解除して起動したり、番組切替や音量調整などを行ったり、あるいは、スマートテレビ２のインテリジェントロボットと会話するなどのマンマシンインタラクションを行なったり、対応する応答を行なう。
【００２９】
本発明のほかの好ましい実施形態において、各マイク（図示したマイク３１０、マイク３２０、マイク３３０、マイク３４０）には、予め設定された音声情報をフィルタリングするかまたは低減するフィルタリング・ノイズ低減モジュールが設けられている。この予め設定された音声情報には、非人声情報が含まれる。
【００３０】
本明細書では、該フィルタリング・ノイズ低減モジュールを使用し、各マイクでフィルタリング・ノイズ低減処理を行なう、すなわち、予め設定された音声情報のフィルタリングまたはノイズ低減処理を行なう。この予め設定された音声情報には、非人声情報が含まれていてもよいがそれに限定されるわけではない。具体的には、上述した非人声情報の一部、例えば、人の足音、ドアをノックしたり閉めたりする音、携帯電話の着信音などを、該フィルタリング・ノイズ低減モジュールに予め設定することができる。この非人声の周波数と類似する周波数を有する音が収集されるとこの音を弱めるかフィルタリングして、収集されたユーザの音声信号を目立たせることによって、スマートテレビ２のメイン基板が予め設定されたプログラムを使って該音声信号を処理する負担を軽減して、スマートテレビ２の応答精度を向上させ、ユーザエクスペリエンスを高めることができる。
【００３１】
構造的には、各マイク（図示したマイク３１０、マイク３２０、マイク３３０、マイク３４０）は、コネクタ本体１の上面と該コネクタの、スマートテレビ２の裏面から離れた面とに設けられる。一般的に、スマートテレビ２の周辺の音声情報を完全に収集することによって、マイク群３０がユーザの音声データを完全に収集する度合いを向上させて、スマートテレビ２の応答精度を向上させユーザエクスペリエンスを高めることができるように、該マイクは、コネクタ本体１の上面と該コネクタの、スマートテレビ２の裏面から離れた面とに設けられる必要がある。
【００３２】
また、コネクタ本体１の上面と該コネクタの、スマートテレビ２の裏面から離れた面とに設けられたマイクは、位置が相互に対応しており、連通し合ってマイク貫通孔を形成する。図２に示したように、マイク３１０とマイク３２０、マイク３３０とマイク３４０は位置が相互に対応しており、具体的には、マイク３１０とマイク３２０はコネクタ本体１との間の距離が同じであり、コネクタ本体１の内部では、マイク３１０とマイク３２０が互いに連通し、コネクタ本体１の上面から該コネクタの、スマートテレビ２の裏面から離れた面までのマイク貫通孔を形成する。この構造では、マイク貫通孔の配置によって指向性マイクを形成することができ、該指向性マイクは所定範囲内の音声を収集することができる、すなわち、音声受信方向は指向性を有し、本願を例にとれば、テレビに正対する範囲内の音声のみが受信されるので、受信音声の品質を保証することができ、より精度の高い音声データをスマートテレビに提供することによって、該スマートテレビが対応する応答を高精度に行ない、ユーザエクスペリエンスをさらに高めることが容易にできるようになる。
【００３３】
データ出力インタフェース２０は、コネクタ本体１とスマートテレビ２の裏面との間に挟み込まれて固定され、データ入力インタフェース１０と同様にＵＳＢインタフェースまたはマイクロＵＳＢインタフェースであってもよく、データ線を介してスマートテレビ２のメイン基板に直接に接続されてもよい。一般的には、前記スマートテレビ２の付属品を取り外し自在かつ交換自在にするため、データインタフェースの方式を採用するとともに接続用のデータ線を設けて、ユーザの操作性を高める。
【００３４】
また、コネクタ本体１は、該コネクタの、スマートテレビ２の裏面から離れた面に設けられた複数のねじ４０によってスマートテレビ２の裏面に固定されるか、または、該コネクタの、スマートテレビ２の裏面から離れた面が接着される。以上、該コネクタをスマートテレビ２に連結する方法として、ねじ４０によって固定する方式と接着する方式の二つをそれぞれ提供したが、当然ながら、コネクタ本体１の、スマートテレビ２の裏面を向いた面とスマートテレビ２の裏面に互いに嵌め合う係合構造を設置することにより、コネクタ本体１とスマートテレビ２の連結を実現することも考えられる。これらの実施形態は、本願の例示的なものに過ぎず、本願の保護範囲を限定するものではなく、上記思想に属する形態はいずれも本願の保護範囲内に含まれることに留意すべきである。
【００３５】
また、本願の外付装置は、カメラなどの画像収集装置であり、この画像収集装置を本願のマイク群と組み合わせてスマート会議システムを構成することができる。このスマート会議システムは、該マイク群を使用してユーザの音声データを収集し、該画像収集装置（カメラ）を使用してユーザの映像データを収集し、該スマートテレビのメイン基板がこれらのデータを処理するとともにインターネットを介してネットワーク同時接続中の装置と通信することができる。例えば、テレビ会議を開催したり、ビデオチャットをしたりするために、該映像データは、（スマートテレビやスマートフォンなど）他の端末上で表示され、該音声は、他の端末のスピーカで再生される。本願に係るスマートテレビの外付装置用コネクタは、端末装置経由でオンライン、オフラインの様々なインタラクション活動を行なうことによって、ユーザエクスペリエンスを高めることができる。
【００３６】
本願の実施形態に係る該コネクタによれば、一方では、該外付装置と該スマートテレビ２との間のデータ線を減少させることによって、該スマートテレビ２の外観の見栄えを向上させ、他方では、該スマートテレビ２が極めて軽くて薄い場合に、該外付装置が非常に良好な収集位置に据えられることを保証することができる。該コネクタ自体は、フィルタリング・ノイズ低減モジュールを備えるマイク群と一体化されて、ユーザから送信される信号の収集効果が高いので、スマートテレビの外付装置の従来の接続方式が抱える、ユーザから送信される信号の収集効果は低いし接続線が多くてユーザエクスペリエンスも悪いという技術的課題を解決することができる。
【００３７】
上述した装置の実施形態は、例示的なものに過ぎず、分離された構成要素として説明したユニットは、物理的に分離されていてもいなくてもよいし、ユニットとして表示した構成要素は、物理的なユニットであってもなくてもよい、すなわち、構成要素は、同じ場所に位置していてもよいし、複数のネットワークユニットに分散していてもよい。本実施形態の解決手段の目的は、実際の必要性に応じて一部または全てのモジュールを選択することによって実現することができる。当業者であれば、創造的作業を行なわずにこの解決手段を理解して実施することができる。
【００３８】
当業者には、以上の実施形態についての説明から、各実施形態がソフトウェアおよび必要な汎用ハードウェアプラットフォームを組み合わせる方式で実現できるし、もちろんハードウェアを使用することによって実現することもできることが明らかであろう。このような理解に基づき、本技術的解決手段は、全体として、または、従来技術に貢献する部分だけ取り出して、ソフトウェア製品の形式で実現できる。コンピュータの該ソフトウェア製品は、ＲＯＭ／ＲＡＭ、磁気ディスク、光ディスクなどのコンピュータ可読記憶媒体に記憶することができ、一台のコンピュータ装置（パーソナルコンピュータ、サーバ、またはネットワーク装置などであってもよい）に各実施形態または実施形態の一部に記載の方法を実行させる複数の命令を含む。
【００３９】
最後になるが、以上の実施形態は、本発明の技術的解決手段を分かりやすく説明したものに過ぎず、これらに制限されるものではない。前述の実施形態を参照しながら本発明を詳しく説明したが、当業者であれば、前述の実施形態で説明した技術的解決手段は、変更したり技術的特徴の一部を同等のものと置き換えたりすることもできるし、前述の各実施例に記載のこれらの変更または置き換えは本発明の各実施例の技術的解決手段の主旨および範囲から逸脱することがないことを理解すべきである。
【図１】
2018518067.tif 000003
【図２】
2018518067.tif 000004
【図３】
2018518067.tif 000005
【図４】
2018518067.tif 000006
【国際調査報告】
2018518067.tif 000007
2018518067.tif 000008
2018518067.tif 000009
2018518067.tif 000010